(57)【要約】 【課題】  金型の光学部品搭載方向を加工方向として形成されるピックアップベースを用いる光ピックアップ装置を提供する。【解決手段】  軸受部品保持部１０は、ガイド軸１５と同一の中心軸を基準とする中心角が１８０°以下の円弧部を有する少なくとも３個の保持部１１が、ガイド軸１５の中心軸方向に隣接して配置される形状である。隣接する２個の保持部１１は、互いに逆向きであって、ストレート部１３が光ディスク３の回転軸方向と平行に配置されるように成形される。３個隣接して形成される保持部１１の円弧の中心軸は、軸受部品保持部１０に嵌合される軸受部品１４の中心軸と一致する。【選択図】    図１
2010020859.tif 000002
【特許請求の範囲】
【請求項１】
光記録媒体の信号記録面にレーザ光を集光させる対物レンズと、前記対物レンズを移動する対物レンズ移動部と、前記対物レンズおよび前記対物レンズ移動部を搭載するピックアップベースとを備える光ピックアップ装置であって、
前記ピックアップベースは、前記ピックアップベースを前記光記録媒体の半径方向に移動させるガイド軸が挿通される少なくとも１個のガイド軸保持部を備え、
前記ガイド軸保持部は、前記ガイド軸と同一の中心軸を基準とする中心角が１８０°以下の円弧状の凹部を有する少なくとも３個の保持部が、前記凹部で前記ガイド軸を互いに挟むように配置される形状と同一の形状であることを特徴とする光ピックアップ装置。
【請求項２】
前記同一の形状は、前記少なくとも３個の保持部が前記ガイド軸の中心軸方向に隣接して配置される形状であり、
前記ガイド軸は、前記ガイド軸保持部に嵌合される軸受部材に挿通されることを特徴とする請求項１に記載の光ピックアップ装置。
【請求項３】
前記凹部は、頭頂部が前記ガイド軸に接する突起部を備えることを特徴とする請求項１に記載の光ピックアップ装置。
【請求項４】
前記凹部は、頭頂部が前記軸受部材に接する突起部を備えることを特徴とする請求項２に記載の光ピックアップ装置。
【請求項５】
前記ガイド軸保持部は、前記軸受部材が前記ガイド軸保持部から抜けることを防止する軸受部材抜け防止部を備えることを特徴とする請求項２に記載の光ピックアップ装置。
【請求項６】
前記ガイド軸保持部は、前記軸受部材に塗布される潤滑剤が漏れることを防止する潤滑剤保持部を備えることを特徴とする請求項２に記載の光ピックアップ装置。
【請求項７】
前記少なくとも３個の保持部の端部は、前記ガイド軸の中心軸を含み、かつ前記光記録媒体の半径方向と略平行な面において分離されていることを特徴とする請求項１に記載の光ピックアップ装置。
【請求項８】
前記ガイド軸保持部は、前記ピックアップベースと一体に成型される部分と、前記ピックアップベースとは別に成型され、かつ前記ピックアップベースに着脱可能である部分とから構成されることを特徴とする請求項１〜７のいずれか１つに記載の光ピックアップ装置。
【発明の詳細な説明】
【技術分野】
【０００１】
本発明は、光記録媒体に情報を記録再生する光ピックアップ装置に関し、より詳細には、金型の光学部品搭載方向を加工方向として形成される光ピックアップ装置に関する。
【背景技術】
【０００２】
図１１は、従来の技術による光ディスクドライブ装置８０を示す図である。光ディスクドライブ装置８０は、本体を構成するベースシャーシ８１と、光学ディスク８２を回転駆動するディスク駆動部８３と、ディスク駆動部８３に搭載される光学ディスク８２に対して情報信号の記録または再生を行う光ピックアップ８４と、光ピックアップ８４を光ディスク８２の半径方向に沿って移動自在に支持する第１ガイド軸８５および第２ガイド軸８６を有する。
【０００３】
光学ディスク８２は、たとえばＣＤ( Compact Disc)またはＤＶＤ(Digital Versatile 
Disc)などの光記録媒体である。光学ディスク８２が搭載されるターンテーブルは、スピンドルモータの回転軸に取り付けられ、スピンドルモータによって駆動される。光学ピックアップ８４が出射するレーザ光は、光学ディスク８２の信号記録面に照射される。
【０００４】
図１２は、光ピックアップ８４の外観図である。図１２（ａ）は、光ピックアップ８４の平面図である。図１２（ｂ）は、光ピックアップ８４を右から見た側面図である。図１２（ｃ）は、光ピックアップ８４の底面図である。図１２（ｄ）は、軸受部品９１の中心軸を含む切断面線Ｈ−Ｈで切断した断面図である。
【０００５】
光ピックアップ８４は、ピックアップベース８７と、ピックアップベース８７の上面側に配置され光学ディスク８２の信号記録面に光ビームを合焦させる対物レンズ８８と、光ビームを発光する光源と、光学ディスク８２の信号記録面から反射する戻りの光ビームを検出する受光素子と、対物レンズ８８を光学ディスク８２のフォーカシング方向およびトラッキング方向に駆動させる駆動系とを備える光ピックアップ装置である。光ピックアップ８４は、光学ディスク８２の信号記録面に信号を書き込み、または読み出す。
【０００６】
図１３は、ピックアップベース８７の外観図である。図１３（ａ）は、ピックアップベース８７の平面図である。図１３（ｂ）は、ピックアップベース８７を右から見た側面図である。図１３（ｃ）は、ピックアップベース８７の底面図である。ピックアップベース８７の移動方向と直交する方向において、ピックアップベース８７の両端部のうちの一つの端部には、貫通孔９０が形成される保持部８９が設けられる。貫通孔９０の中心軸は、ピックアップベース８７の移動方向と一致する。貫通孔９０には、軸受部品９１が嵌合される。第１ガイド軸８５は、軸受部品９１に挿通される。第１ガイド軸８５は、光ピックアップ８４をピックアップベース８７の移動方向に移動自在に支持する。
【０００７】
ピックアップベース８７の他端部には、保持部９２が形成される。保持部９２は、第１ガイド軸８５の中心軸と同じ方向に間隔をあけて２箇所に形成される保持片９３から成る。保持片９３は、光学ディスク８２の回転軸の方向において第２ガイド軸８６を挟み込む。
【０００８】
特許文献１には、キャリッジを移動可能に支持する主軸および従動軸の表面に綿埃、砂埃などの埃が付着しても、摺動抵抗が小さく抑えられる情報記録再生装置が開示されている。キャリッジは、情報記録再生部と、主軸および従動軸が挿通する主軸受および従動軸受とを備えている。主軸受は内周部の円周上に凸部が４箇所等間隔に設けられ、凸部が主軸上を摺動する。従動軸受は、内周部の円周上に凸部が２箇所等間隔に設けられ、凸部が従動軸上を移動する。凸部のみが主軸または従動軸の表面と接触する。
【０００９】
【特許文献１】特開平１０−３１２６５２号公報
【発明の開示】
【発明が解決しようとする課題】
【００１０】
ピックアップベース８７の移動方向と直交する方向Ｙの両端部のうちの一方の端部に形成される貫通孔９０の中心軸の方向Ｘと、ピックアップ光学部品が搭載される方向Ｚとの成す角は、９０°である。ピックアップベース８７を加工する金型は、光学部品搭載方向Ｚを加工方向として加工する。貫通孔９０の加工をするためには、光学部品搭載方向Ｚと直交する方向の加工ができるスライド構造を備えている必要がある。
【００１１】
しかしながら、スライド構造を備えると、金型の構造が複雑になり、加工に要する時間が長くなる。単位時間当たりに加工することができるピックアップベース８７の個数は限定されるので、コストアップにつながる。特許文献１は、キャリッジを支持する主軸および従動軸の摺動抵抗を小さくすることについては開示されているが、金型の上下方向の加工によって軸受部を形成することについては開示していない。
【００１２】
本発明の目的は、金型の光学部品搭載方向のみを加工方向として形成されるピックアップベースを用いる光ピックアップ装置を提供することである。
【課題を解決するための手段】
【００１３】
本発明は、光記録媒体の信号記録面にレーザ光を集光させる対物レンズと、前記対物レンズを移動する対物レンズ移動部と、前記対物レンズおよび前記対物レンズ移動部を搭載するピックアップベースとを備える光ピックアップ装置であって、
前記ピックアップベースは、前記ピックアップベースを前記光記録媒体の半径方向に移動させるガイド軸が挿通される少なくとも１個のガイド軸保持部を備え、
前記ガイド軸保持部は、前記ガイド軸と同一の中心軸を基準とする中心角が１８０°以下の円弧状の凹部を有する少なくとも３個の保持部が、前記凹部で前記ガイド軸を互いに挟むように配置される形状と同一の形状であることを特徴とする光ピックアップ装置である。
【発明の効果】
【００１４】
本発明によれば、光記録媒体の信号記録面にレーザ光を集光させる対物レンズと、対物レンズを移動する対物レンズ移動部と、対物レンズおよび対物レンズ移動部を搭載するピックアップベースとを備え、ピックアップベースは、ピックアップベースを光記録媒体の半径方向に移動させるガイド軸が挿通される少なくとも１個のガイド軸保持部を備え、ガイド軸保持部は、ガイド軸と同一の中心軸を基準とする中心角が１８０°以下の円弧状の凹部を有する少なくとも３個の保持部が、凹部でガイド軸を互いに挟むように配置される形状と同一の形状である。したがって、金型の光学部品搭載方向を加工方向として形成することができる。
【発明を実施するための最良の形態】
【００１５】
図１は、本発明の実施の第１の形態である光ピックアップ装置１を示す図である。図１（ａ）は、光ピックアップ装置１の平面図である。図１（ｂ）は、軸受部品保持部１０を右から見た側面図である。図１（ｃ）は光ピックアップ装置１の底面図である。
光ピックアップ装置１は、ピックアップベース２と、ピックアップベース２に搭載され、光学ディスク３の信号記録面に光ビームを合焦させる対物レンズ４と、光ビームを発光する図示しない光源と、光学ディスク３の信号記録面から反射される戻りの光ビームを検出する図示しない受光素子と、対物レンズ４を光学ディスク３のフォーカシング方向および、トラッキング方向に駆動させる駆動系とを備える光ピックアップ装置である。フォーカシング方向は、光スポットを集光させる方向であり、トラッキング方向は、光スポットを情報トラックに追尾させる方向である。
【００１６】
ピックアップベース２の移動方向と直交する方向において、ピックアップベース２の両端部のうちの一つの端部には、軸受部品保持部１０が２箇所形成される。軸受部品保持部１０にはそれぞれ軸受部品１４が嵌合される。２つの軸受部品１４は、ガイド軸１５が挿通される。軸受部品１４の中心軸の方向は、ピックアップベース８７の移動方向と一致する。
【００１７】
図２は、本発明の実施の第１の形態である光ピックアップ装置１で用いる軸受部品保持部１０を示す図である。図２（ａ）は、軸受部品保持部１０の平面図である。図２（ｂ）は、軸受部品保持部１０を右から見た側面図である。図２（ｃ）は、軸受部品保持部１０を軸受部品１４の中心軸と垂直な方向の切断面線Ａ−Ａで切断した断面図である。図２（ｄ）は、軸受部品保持部１０を軸受部品１４の中心軸と垂直な方向の切断面線Ｂ−Ｂで切断した断面を示す図である。図２（ｅ）は、軸受部品保持部１０の底面図である。図２（ｆ）は、軸受部品保持部１０を軸受部品１４の中心軸の切断面線Ｃ−Ｃで切断した断面図である。
【００１８】
ガイド軸保持部である軸受部品保持部１０は、保持部１１が３個隣接して配置された形状に成形される。保持部１１は、中心角が１８０°の半円弧状の凹部１２を有し、凹部１２の両端は、接線方向に立ち上がるストレート部１３が設けられる。隣接する２個の保持部１１は、互いに逆向きであって、ストレート部１３が光ディスク３の回転軸方向と平行に配置されるように成形される。３個隣接して形成される保持部１１の円弧の中心軸は、軸受部品保持部１０に嵌合される軸受部品１４の中心軸と一致する。凹部１２の円弧は、１８０°に限定されるものではなく、１８０°以下でも良い。
【００１９】
軸受部品保持部１０は、軸受部品１４の外側面を３箇所で支持する。保持部１１によって形成される半円弧状の凹部１２のうち開口部が光学ディスク３の情報読み取り面側に向いた２箇所の凹部１２は、軸受部品１４の外側面のうち中心軸方向の両端部を支持する。開口部が光ディスク３の情報読み取り面とは逆向きに向いた１箇所の凹部１２は、軸受部品１４の外側面のうち中央部を支持する。
【００２０】
保持部１１のストレート部１３は、金型の光学部品搭載方向である光学ディスク３の回転軸方向と平行であるので、軸受部品保持部１０は金型の光学部品搭載方向のみの加工で成形することができる。
【００２１】
図３は、本発明の実施の第２の形態である光ピックアップ装置１Ａで用いる軸受部品保持部２０を示す図である。光ピックアップ装置１Ａの構成は、図１に示した光ピックアップ装置１の構成と軸受部品保持部２０を除いて同じ構成であり、重複する部分については説明を省略する。図３（ａ）は、軸受部品保持部２０の平面図である。図３（ｂ）は、軸受部品保持部２０を右から見た側面図である。図３（ｃ）は、軸受部品保持部２０を軸受部品１４の中心軸と垂直な方向の切断面線Ｄ−Ｄで切断した断面図である。図３（ｄ）は軸受部品保持部２０の底面図である。
【００２２】
中心角が１８０°の半円弧状の凹部２２を有する保持部２１は、半円弧状の凹部２２に突起部２３が形成される。各半円弧状の凹部２２には、突起部２３が１箇所形成されるので、軸受部品保持部２０は、３箇所の突起部２３を有する。３箇所の突起部２３は、軸受部品１４の中心軸を基準として各々１２０°の間隔をもって配置される。軸受部品１４は、突起部２３の頭頂部に圧接することによって保持される。軸受部品１４は、突起部２３によって保持されるので、軸受部品１４の傾きおよびガイド軸１５の中心軸と軸受部品１４の中心軸とのずれを修正する場合に、修正する範囲が突起部２３に限定されるので、修正が容易になる。
【００２３】
図４は、本発明の実施の第３の形態である光ピックアップ装置１Ｂで用いる軸受部品保持部２６を示す図である。光ピックアップ装置１Ｂの構成は、図１に示した光ピックアップ装置１の構成と軸受部品保持部２６を除いて同じ構成であり、重複する部分については説明を省略する。軸受部品保持部２６に形成される半円弧状の凹部２７の内周面の軸方向の両端部には、軸受部材抜け防止部であるテーパリブ２８が形成される。テーパリブ２８の形状は、凹部２７の端面を軸受部品１４の中心軸方向に立ち上げ、テーパリブ２８の頭頂部が鋭角になるように形成される。テーパリブ２８は、軸受部品保持部２６に嵌合される軸受部品１４が軸受部品保持部２６から抜けることを防止する。テーパリブ２８が形成されることによって、軸受部品保持部２６の端部における半円弧状を有する開口部の半径が小さくなると、軸受部品１４を嵌合しにくくなる。したがって、テーパリブ２８の高さは、軸受部品１４を圧入することができる高さに抑える必要がある。
【００２４】
図５は、本発明の実施の第４の形態である光ピックアップ装置１Ｃで用いる軸受部品保持部３０を示す図である。光ピックアップ装置１Ｃの構成は、図１に示した光ピックアップ装置１の構成と軸受部品保持部３０を除いて同じ構成であり、重複する部分については説明を省略する。図５（ａ）は、軸受部品保持部３０の平面図である。図５（ｂ）は、軸受部品保持部３０を軸受部品１４の中心軸と垂直な方向の切断面線Ｅ−Ｅで切断した断面を示す図である。軸受部品保持部３０は、潤滑剤保持部であるグリス保持リブ３３を備える。
【００２５】
グリス保持リブ３３は、軸受部品保持部３０の端部のうち軸受部品１４が嵌入される側と反対側の端部の開口部に形成される。グリス保持リブ３３は、軸受部品１４との間に溜まったグリスが漏れることを防止する。図５（ｂ）に示すように、グリス保持リブ３３の高さは、軸受部品１４に挿通されるガイド軸１５と接触しない高さにする必要がある。グリス保持リブ３３が形成されることによって、余剰なグリスはグリス保持リブ３３と軸受部品１４との間に蓄えられる。
【００２６】
図６は、本発明の実施の第５の形態である光ピックアップ装置１Ｄで用いる軸受部品保持部３８を示す図である。光ピックアップ装置１Ｄの構成は、図１に示した光ピックアップ装置１の構成と軸受部品保持部３８を除いて同じ構成であり、重複する部分については説明を省略する。図６（ａ）は、軸受部品保持部３８の平面図である。図６（ｂ）は、軸受部品保持部３８を右から見た側面図である。図６（ｃ）は、軸受部品保持部３８の底面図である。軸受部品保持部３８の軸受部品１４が嵌合される円弧状の凹部３９から見て、ピックアップベース４０の本体と反対側にある端部４２は開放される。各保持部４１の凹部３９は中心角が１８０°以下とされることによって、隣接して配置される保持部４１の端部４２とは接合部を持たなくなるので、互いに分離される。軸受部品保持部３８を形成する各保持部４１は、軸受部品１４を互い違いに挟むことによって、軸受部品１４を保持する。各保持部４１の形状を変えることによって、軸受部品１４を保持する保持圧を調整することができる。
【００２７】
図７は、本発明の実施の第６の形態である光ピックアップ装置１Ｅで用いる軸受部品保持部５０を示す図である。光ピックアップ装置１Ｅの構成は、図１に示した光ピックアップ装置１の構成と軸受部品保持部５０を除いて同じ構成であり、重複する部分については説明を省略する。図７（ａ）は、軸受部品保持部５０の平面図である。図７（ｂ）は、軸受部品保持部５０を右から見た側面図である。図７（ｃ）は、軸受部品保持部５０の底面図である。軸受部品保持部５０は、光学ディスク３の回転軸の方向で上下に分離される。光学ディスク３に近い側に配置されるコの字状の軸受部品保持部品５１は、各軸受部品１４を光学ディスク３に近い側から挟み込む。光学ディスク３から遠い側に配置される軸受部品受け部５２は、ピックアップベース５３と一体で２箇所に成形され、各軸受部品１４を光学ディスク３から遠い側から挟み込む。
【００２８】
軸受部品保持部品５１は、ピックアップベース５３とは別の単独の部品として成型され、ピックアップベース５３にねじ止めされる。軸受部品保持部５０の構成として単独で成型される部品を用いることによって、ピックアップベース５３と一体で成型する軸受部品受け部５２の構造は簡略化される。したがって、軸受部品受け部５２は、いっそう容易に光学部品搭載方向を加工方向として、ピックアップベース５３と一体で成形することができる。
【００２９】
図８は、本発明の実施の第７の形態である光ピックアップ装置１Ｆで用いる軸受部品保持部６０を示す図である。光ピックアップ装置１Ｆの構成は、図１に示した光ピックアップ装置１の構成と軸受部品保持部６０を除いて同じ構成であり、重複する部分については説明を省略する。光ピックアップ装置７は、図７に示す光ピックアップ装置６に、軸受部材抜け防止部であるリブ６２が形成されるものである。リブ６２は、軸受部品受け部６１の半円弧状の凹部の内周面の軸方向の両端部に形成される。リブ６２の形状は、軸受部品受け部６１の端面を軸受部品１４の中心軸方向に立ち上げた端面と、端面と平行な軸受部品受け部６１の内部側に形成される面とによって形成される。軸受部品１４は、光学ディスク３の回転軸の方向に光ディスク３側から配置される。リブ６２が設けられることによって、軸受部品１４が、軸受部品受け部６１から抜けることを防止することができる。
【００３０】
図９は、本発明の実施の第８の形態である光ピックアップ装置１Ｇで用いる軸受部品保持部６５を示す図である。光ピックアップ装置１Ｇの構成は、図１に示した光ピックアップ装置１の構成と軸受部品保持部６５を除いて同じ構成であり、重複する部分については説明を省略する。図９（ａ）は、軸受部品保持部６５の平面図である。図９（ｂ）は、軸受部品保持部６５を右から見た側面図である。図９（ｃ）は、軸受部品保持部６５の底面図である。図９（ｄ）は、軸受部品保持部６５をガイド軸１５の中心軸を含んだ切断面線Ｆ−Ｆで切断した断面を示す図である。
【００３１】
軸受部品保持部６５は、３箇所等間隔に形成される保持部６６から成る。保持部６６の形状は、図２に示す保持部１１の形状と同じである。保持部６６のうち、外側２箇所に配置される保持部６６は、半円弧状の凹部の開口部が光学ディスク３側に向いており、ガイド軸１５の側面のうち光学ディスク３から遠い側を支持する。保持部６６のうち、中央部に配置される保持部６６は、半円弧状の凹部の開口部が光学ディスク側とは逆向きに向いており、ガイド軸１５の外周面のうち光学ディスク３に近い側を支持する。ガイド軸１５は３箇所に形成される保持部６６によって挟み込むように保持される。
【００３２】
図１０は、本発明の実施の第９の形態である光ピックアップ装置１Ｈで用いる軸受部品保持部７０を示す図である。光ピックアップ装置１Ｈの構成は、図１に示した光ピックアップ装置１の構成と軸受部品保持部７０を除いて同じ構成であり、重複する部分については説明を省略する。図１０（ａ）は、軸受部品保持部７０の平面図である。図１０（ｂ）は、軸受部品保持部７０を右から見た側面図である。図１０（ｃ）は、軸受部品保持部７０の底面図である。図１０（ｄ）は、軸受部品保持部７０をガイド軸１５の中心軸を含んだ切断面線Ｇ−Ｇで切断した断面を示す図である。軸受部品保持部７０の形状は、軸受部品保持部６５と同じであるが、軸受部品保持部７０を構成する３箇所に配置される保持部７１のうち、両端部に配置される保持部７１には、グリス保持溝７２が設けられる。グリス保持溝７２は、ガイド軸１５を支持する半円弧状の凹部７４の表面に、一定の深さを持った溝として形成される。グリス保持溝７２が設けられることによって、余剰なグリスはグリス保持溝７２に蓄えられる。
【００３３】
このように、光学ディスク３の信号記録面にレーザ光を集光させる対物レンズ４と、対物レンズ４を移動する対物レンズ移動部と、対物レンズ４および対物レンズ移動部を搭載するピックアップベース２とを備え、ピックアップベース２は、ピックアップベース２を光学ディスク３の半径方向に移動させるガイド軸１５が挿通される少なくとも１個の軸受部品保持部１０を備え、軸受部品保持部１０は、ガイド軸１５と同一の中心軸を基準とする中心角が１８０°以下の円弧部を有する少なくとも３個の保持部１１が、円弧部でガイド軸１５を互いに挟むように配置される形状と同一の形状である。したがって、金型の光学部品搭載方向を加工方向としてピックアップベース２を成形することができる。
【００３４】
さらに、同一の形状は、少なくとも３個の保持部１１がガイド軸１５の中心軸方向に隣接して配置される形状であり、ガイド軸１５は、軸受部品保持部１０に嵌合される軸受部品１４に挿通されるので、軸受部品保持部１０は金型の光学部品搭載方向の加工で成形することができる。
【００３５】
さらに、保持部１１の円弧部は、頭頂部がガイド軸１５または軸受部品１４に接する突起部を備えるので、軸受部品１４の傾きおよびガイド軸１５の中心軸と軸受部品１４の中心軸とのずれを修正する場合に、修正する範囲が突起部２３に限定されるので、修正が容易になる。
【００３６】
さらに、軸受部品保持部２６は、テーパリブ２８を備えるので、軸受部品保持部２６に嵌合される軸受部品１４が軸受部品保持部２６から抜けることを防止することができる。
【００３７】
さらに、軸受部品保持部３０は、軸受部品１４に塗布される潤滑剤が漏れることを防止するためのグリス保持部３２を備えるので、余剰なグリスをグリス保持リブ３３と軸受部品１４との間に蓄えることができる。
【００３８】
さらに、少なくとも３個の保持部４１の端部は、ガイド軸１５の中心軸を含み、かつ光学ディスク３の半径方向と略平行な面において分離されるので、各保持部４１の形状を変えることによって、軸受部品１４を保持する保持圧を調整することができる。
【００３９】
さらに、軸受部品保持部５０は、ピックアップベース５３と一体に成型される部分とピックアップベース５３とは別に成型され、ピックアップベース５３に着脱可能である部分とから構成されるので、軸受部品受け部５２は、いっそう容易に光学部品搭載方向を加工方向として、ピックアップベース５３と一体で成形することができる。
【図面の簡単な説明】
【００４０】
【図１】本発明の実施の第１の形態である光ピックアップ装置１を示す図である。
【図２】本発明の実施の第１の形態である光ピックアップ装置１で用いる軸受部品保持部１０を示す図である。
【図３】本発明の実施の第２の形態である光ピックアップ装置１Ａで用いる軸受部品保持部２０を示す図である。
【図４】本発明の実施の第３の形態である光ピックアップ装置１Ｂで用いる軸受部品保持部２６を示す断面図である。
【図５】本発明の実施の第４の形態である光ピックアップ装置１Ｃで用いる軸受部品保持部３０を示す図である。
【図６】本発明の実施の第５の形態である光ピックアップ装置１Ｄで用いる軸受部品保持部３８を示す図である。
【図７】本発明の実施の第６の形態である光ピックアップ装置１Ｅで用いる軸受部品保持部５０を示す図である。
【図８】本発明の実施の第７の形態である光ピックアップ装置１Ｆで用いる軸受部品保持部６０を示す断面図である。
【図９】本発明の実施の第８の形態である光ピックアップ装置１Ｇで用いる軸受部品保持部６５を示す図である。
【図１０】本発明の実施の第９の形態である光ピックアップ装置１Ｈで用いる軸受部品保持部７０を示す図である。
【図１１】従来の技術による光ディスクドライブ装置８０を示す図である。
【図１２】光ピックアップ８４の外観図である。
【図１３】ピックアップベース８７の外観図である。
【符号の説明】
【００４１】
１，１Ａ〜１Ｈ  光ピックアップ装置
２，５３  ピックアップベース
３  光学ディスク
４  対物レンズ
１０，２０，２６，３０，３８，５０，６０，６５，７０  軸受部品保持部
１１，２１，４１，６６，７１  保持部
１２，２２，２７，７４  半円弧状の凹部
１３  ストレート部
１４  軸受部品
１５  ガイド軸
２３  突起部
２８  テーパリブ
３３  グリス保持リブ
３９  円弧状の凹部
４２  他端部
５１  軸受部品保持部品
５２，６１  軸受部品受け部
６２  リブ
７２  グリス保持溝
【図１】
2010020859.tif 000003
【図２】
2010020859.tif 000004
【図３】
2010020859.tif 000005
【図４】
2010020859.tif 000006
【図５】
2010020859.tif 000007
【図６】
2010020859.tif 000008
【図７】
2010020859.tif 000009
【図８】
2010020859.tif 000010
【図９】
2010020859.tif 000011
【図１０】
2010020859.tif 000012
【図１１】
2010020859.tif 000013
【図１２】
2010020859.tif 000014
【図１３】
2010020859.tif 000015